(57)【特許請求の範囲】
【請求項１】
第一切欠部を有する上辺、下辺および開側辺を有する第一シートと、
上辺および下辺を有し、第一シートと第一折曲辺を介して連続する第二シートと、
第一切欠部と同一形状の第二切欠部を有する上辺、下辺および開側辺を有し、第二シートと第二折曲辺を介して連続し、第一および第二シートの間に差し込み可能である第三シートと、
第一シートの下辺および第二シートの下辺を接合する接合部と、を備え、
第一シートの上辺と第三シートの上辺とが実質的に重なるように形成されており、
第二シートの上辺と第二切欠部を除く第三シートの上辺とが実質的に重なるように形成されており、
第三シートの下辺が、接合部と重ならないように形成された切り欠き部を備え、
前記第二シートが、第二切欠部に挿入して第二シートと第三シートの上辺を係止すること、および、第一切欠部に挿入して第二シートと第一および第三シートの上辺を係止することが可能な舌片を備えることを特徴とするクリアファイル。
【請求項２】
前記接合部が、第一折曲辺近傍に開放部を形成する長さに形成され、
前記第三シートが、前記開放部に挿入可能な係止片を備えることを特徴とする請求項１に記載のクリアファイル。
【請求項３】
前記第三シートの前記第二折曲辺による折り曲げ時に内側となる面に、筆記用塗料を塗布して形成された筆記領域を備えることを特徴とする請求項１または２に記載のクリアファイル。
【請求項４】
前記第三シートの前記第二折曲辺による折り曲げ時に外側となる面に、イラストが描画されていることを特徴とする請求項３に記載のクリアファイル。
【請求項５】
前記第一シートに、イラストが描画されていることを特徴とする請求項４に記載のクリアファイル。
【発明の詳細な説明】
【技術分野】
【０００１】
本発明は、複数の収納スペースを有しながら、通常のクリアファイルと外観的にも薄さ的にも近いクリアファイルに関する。
【背景技術】
【０００２】
従来、流通しているクリアファイルは、四角形状の樹脂シートを２つ折りにし、２枚のシートを重ね合わせた下辺を接合したものが一般的であった。この一般的なクリアファイルは、少量の書類を収納するには便利であったが、所定以上の枚数の書類を収納すると、閉じられていない上辺および側辺が大きく開き、書類がはみ出しやすくなるという問題があった。また、例えば、Ａ４サイズのクリアファイルにＡ３サイズの書類を収納する場合等、２つ折りにした書類を収納した場合に、書類を見開くことができないという問題もあった。
【０００３】
前者の問題に関し、特許文献１では、連続する第一の外側シート、第二の外側シート、および中間シートの３枚のシートを、第一および第二の外側シートの間に中間シートを包むように折り曲げ、第一および第二の外側シートの下辺同士を溶着し、中間シートを第一および第二の外側シートの間に差し込み・差し出し自由とすることで、厚みを有する書類でも収納可能な袋状の収納スペースを備えたクリアファイルが提案されている。
【０００４】
後者の問題に関し、特許文献２では、複数のクリアファイルを冊子状に綴ってなり、各シートに外側側縁と下縁のみが封着されている収納ポケットが形成され、大判資料を見開き可能に収納させることのできるクリアファイルが提案されている。
【０００５】
ところで、クリアファイルは、シートに装飾デザインや筆記可能な塗装（例えば、特許文献３）を施すことも行われ、装飾効果や機能性の目新しさはユーザの興味を引き付け、宣伝広告効果や購買意欲の向上に大いに貢献している。
【先行技術文献】
【特許文献】
【０００６】
【特許文献１】特開２０１１−２３０４９２号公報
【特許文献２】実用新案登録第３１４６０１６号公報
【特許文献３】実用新案登録第３１６０１６１号公報
【発明の概要】
【発明が解決しようとする課題】
【０００７】
しかしながら、特許文献１に記載のクリアファイルは、封止辺部を備える構造であることから、通常のクリアファイルよりも一回りサイズが大きくならざるを得ず、また封止辺部が肉厚となる（シート４枚重ねとなる）ことから、省スペース性に欠けるという課題があった。
複数の収納スペースを有しながら、通常のクリアファイルと外観的にも薄さ的にも近いクリアファイルが求められていた。
また、宣伝広告などの観点からは、意匠が動的に変化するクリアファイルが求められていた。
【０００８】
そこで、本発明は、複数の収納スペースを有しながら、通常のクリアファイルと外観的にも薄さ的にも近いクリアファイルを提供することを目的とする。さらに、意匠が動的に変化するクリアファイルを提供することを目的とする。
【課題を解決するための手段】
【０００９】
第１の発明は、第一切欠部を有する上辺、下辺および開側辺を有する第一シートと、上辺および下辺を有し、第一シートと第一折曲辺を介して連続する第二シートと、第一切欠部と同一形状の第二切欠部を有する上辺、下辺および開側辺を有し、第二シートと第二折曲辺を介して連続し、第一および第二シートの間に差し込み可能である第三シートと、第一シートの下辺および第二シートの下辺を接合する接合部と、を備え、第一シートの上辺と第三シートの上辺とが実質的に重なるように形成されており、第二シートの上辺と第二切欠部を除く第三シートの上辺とが実質的に重なるように形成されており、第三シートの下辺が、接合部と重ならないように形成された切り欠き部を備え、前記第二シートが、第二切欠部に挿入して第二シートと第三シートの上辺を係止すること、および、第一切欠部に挿入して第二シートと第一および第三シートの上辺を係止することが可能な舌片を備えることを特徴とするクリアファイル。
【００１０】
第２の発明は、第１の発明において、前記接合部が、第一折曲辺近傍に開放部を形成する長さに形成され、前記第三シートが、前記開放部に挿入可能な係止片を備えることを特徴とする。
第３の発明は、第１または２の発明において、前記第三シートの前記第二折曲辺による折り曲げ時に内側となる面に、筆記用塗料を塗布して形成された筆記領域を備えることを特徴とする。
第４の発明は、第３の発明において、前記第三シートの前記第二折曲辺による折り曲げ時に外側となる面に、イラストが描画されていることを特徴とする。
第５の発明は、第４の発明において、前記第一シートに、イラストが描画されていることを特徴とする。
【発明の効果】
【００１１】
本発明によれば、複数の収納スペースを有しながら、通常のクリアファイルと外観的にも薄さ的にも近いクリアファイルを提供することが可能となる。
さらに、意匠が動的に変化するクリアファイルを提供することが可能となる。
【図面の簡単な説明】
【００１２】
【図１】第一実施形態例に係るクリアファイルの正面図である。
【図２】第一実施形態例に係るクリアファイルの背面図である。
【図３】第一実施形態例に係るクリアファイルの（ａ）平面図、（ｂ）は底面図、（ｃ）左側面図、（ｄ）右側面図である。
【図４】第一実施形態例に係るクリアファイルの展開図である。
【図５】図４のＡ部の拡大図である。
【図６】第一実施形態例に係るクリアファイルを、第三シートを収納して使用する態様を示す斜視図である。
【図７】第一実施形態例に係るクリアファイルを、第三シートを収納しないで使用する態様を示す正面図である。
【図８】第二実施形態例に係るクリアファイルの第三シートを収納しない状態を示す正面図である。
【図９】第二実施形態例に係るクリアファイルの正面図である。
【発明を実施するための形態】
【００１３】
本発明のクリアファイルは、第一シートと、第一シートと第一折曲辺を介して連続する第二シートと、第二シートと第二折曲辺を介して連続する第三シートと、第二シートに設けられた舌片と、を備え、第三シートを第一および第二シートの間に差し込み可能であり、舌片により二つの収納スペースを係止できることを特徴とする。このクリアファイルは、規格サイズの紙（例えば、Ａ４、Ｂ４）を収納できる大きさに作製され、第三シート収納時（第一および第二シートの間への差し込み時）には、第一シートと第三シートの間には第一の収納スペースが形成され、第三シートと第二シートの間には第二の収納スペースが形成される。他方で、第三シート非収納時には、第三シート収納時の２倍の大きさの紙の収納が可能となるので、例えば、第三シート非収納時にＡ３の紙を開いて収納し、第三シート収納時には当該Ａ３の紙を二つ折りにして第二の収納スペースに収納するといった使い方も可能である。
以下では、本発明のクリアファイルの詳細を実施形態例により説明する。
【００１４】
＜第一実施形態例＞
【００１５】
［構成］
図１〜５を参照しながら、第一実施形態例に係るクリアファイル１００の構成を説明する。
第一実施形態例に係るクリアファイル１００は、主にＡ４サイズの紙を収納できる大きさのクリアファイルである。
図４は、クリアファイル１００の展開図である。同図に示すように、クリアファイル１００は、第一シート１１０と、第二シート１２０と、第三シート１３０と、第一折曲辺１０１と、第二折曲辺１０２と、接合部１０３と、開放部１０４と、係止片１３６とを主な構成要素とする。
【００１６】
第一シート１１０、第二シート１２０、および第三シート１３０は、１枚の透光性を備えた樹脂（例えば、ＰＰ（ポリプロピレン）やＰＥＴ（ポリエチレンテレフタレート）等）のシートからなる。第一シート１１０と第二シート１２０は、第一折曲辺１０１を介して連続し、第二シートと第三シート１３０は、第二折曲辺１０２を介して連続している。
【００１７】
第一シート１１０は、下端に第一シート下辺１１１と、側端に第一シート開側辺１１２と、上端に第一シート上辺１１３とを備える。
第二シート１２０は、下端に第二シート下辺１２１と、上端に第二シート上辺１２３とを備える。
第三シート１３０は、下端に第三シート下辺１３１と、上端に第三シート上辺１３３と、側端に第三シート開側辺１３４とを備える。
【００１８】
第一シート開側辺１１２の上部には、収納書類または第三シート１３０を取り出すための指掛用凹部１１７が設けられている。第一シート開側辺１１２の下部には、第一シート１１０と第二シート１２０の接合の剥離を防止するための応力分散用凹部１１８が設けられている。
第一シート上辺１１３の中央部には、第一シート上辺１１３と第二シート上辺１２３を係止するための第一切欠部１１５が設けられている。
【００１９】
第二シート１２０の上部中央付近には、第二シート上辺１２３と第一シート上辺１１３、および第二シート上辺１２３と第三シート上辺１３３を係止するための舌片１２５が設けられている。
図５は、図４のＡ部の拡大図である。舌片１２５は、鍋形または略台形の切れ込みによって形成されており、開閉自在である。舌片１２５は、所望の係止力を実現するべく、一定の幅を有することが好ましく、例えば、２〜６ｃｍまたは２〜４ｃｍの根元幅を有するように構成することが開示される。
舌片１２５を形成する切れ込みの端部１２５ａは、係止時に応力が掛かって第二シート１２０が破れないよう、応力分散するため、円弧形状をなしている。舌片１２５の根元（切れ込み両端を結ぶ直線）付近には、収納書類が厚い場合に折曲げて係止するための折スジ１２５ｂが形成されている。
【００２０】
第一シート１１０と第二シート１２０は、第一シート下辺１１１と第二シート下辺１２１とが重ねなるように第一折曲辺１０１に沿って折られ、接合部１０３が形成されている（図１参照）。接合部１０３は、例えば、熱や超音波を用いた溶着等によって形成される。接合部１０３は、第一折曲辺１０１近傍を非接合とする長さで形成され、第一折曲辺１０１近傍には後述する係止片１３６が挿入可能な開放部１０４が形成されている。
【００２１】
第三シート上辺１３３の中央部には、第三シート上辺１３３と第二シート上辺１２３を係止するための第二切欠部１３５が設けられている。
第三シート下辺１３１には、接合部１０３と重ならないようにするための切り欠き部１３７が設けられている。切り欠き部１３７は、接合部１０３よりもわずかに大きい略長方形である。
第三シート下辺１３１の第三シート開側辺１３４の下端には、開放部１０４に挿入するための係止片１３６が設けられている。係止片１３６は、横方向の幅が開放部１０４よりもわずかに小さい略長方形の形状をなしている。
【００２２】
第二シート１２０と第三シート１３０は、第二折曲辺１０２に沿って折られ、第三シート開側辺１３４が第一折曲辺１０１近傍に位置するように、第一シート１１０および第二シート１２０の間に差し込むことが可能である。その際、係止片１３６は開放部１０４に挿入することで、第三シート１３０が係止される。
【００２３】
以上に説明したクリアファイル１００は、図１、２に示すように、通常のクリアファイルと外観的にも近く、図３に示すように、通常のクリアファイルと薄さ的にも近いものとなっている。
【００２４】
［使用態様］
図６は、クリアファイル１００を、第三シート１３０を収納して使用する態様を示す斜視図である。第三シート１３０を第一シート１１０および第二シート１２０の間に収納すると、第一シート１１０および第三シート１３０の間には、上辺（１１３，１３３）および開側辺１１２が開かれた第一の収納スペースが生じ、第三シート１３０および第二シート１２０の間には、上辺（１３３，１２３）が開かれた第二の収納スペースが形成される。このように二つの区画された収納スペースが形成されるので、使用者は異なる用途の書類を各収納スペースに分けて収納することが可能となる。
【００２５】
さらに、舌片１２５を第一切欠部１１５に係止させることによって、第一の収納スペースの上辺（１１３，１３３）および第二の収納スペースの上辺（１３３，１２３）を係止すること、或いは、舌片１２５を第二切欠部１３５に係止させることによって、第二の収納スペースの上辺（１３３，１２３）のみを係止することができる。舌片１２５により第二の収納スペースの上辺（１３３，１２３）のみを係止した場合には、第一の収納スペースをあたかも通常のクリアファイルのように使用することが可能となる。
【００２６】
図７は、クリアファイル１００を、第三シート１３０を収納しないで（第三シート１３０を開いた状態）使用する態様を示す平面図である。第三シート１３０を開いた状態では、第二シート１２０と第三シート１３０が横並びになるため、図７に網掛けで描写した書類Ｄのように、２倍の大きさのＡ３サイズの紙を支持することが可能である。また、この状態で、書類Ｄを二つ折りにし、第三シート１３０により支持されている書類Ｄの半分の領域を第三シート１３０ともに第一シート１１０および第二シート１２０の間に収納すれば、二つ折りにした書類Ｄを第二の収納スペースに収納することが可能である。
【００２７】
本実施形態例のクリアファイル１００によれば、二つの区画された収納スペースを有し、肉薄で省スペース性に優れたクリアファイルを提供することが可能である。また、収納スペースの２倍の大きさの紙を開いた状態で収納することができるクリアファイルを提供することが可能である。
【００２８】
＜第二実施形態例＞
［構成］
図８、９を参照しながら、第二実施形態例に係るクリアファイル２００の構成を説明する。クリアファイル２００は、第一実施形態例に係るクリアファイル１００の構成に、第一および第二イラスト１１９，１３９を追加した点、および、ボールペンや鉛筆（黒鉛の芯）で筆記することのできる筆記部１４０を追加した点で第一実施形態例と相違する。以下では、第一実施形態との相違点を中心に説明し、共通する構成については説明を割愛する。
【００２９】
第一シート１１０の内面（第一折曲辺１０１による折り曲げ時に内側となる面）には、第一シート１１０の外面側から視認できる第一イラスト１１９が描画されている。第一イラスト１１９は、第一シート１１０の外面に描画（塗布形成）されていてもよいが、使用による擦れや汚れの影響を少なくするため、第一シート１１０の内面に描画（塗布形成）されていることが好ましい。
【００３０】
第三シート１３０の内面（第二折曲辺１０２による折り曲げ時に内側となる面）には、第三シート１３０の外面側から視認できる第二イラスト１３９が描画されている（図９参照）。第三シート１３０の内面には、第二イラスト１３９が第三シート１３０の内面側から視認することができないよう、第二イラスト１３９の描画に重ねて非透過性の塗料を塗布してもよい。
第二イラスト１３９は、第三シート１３０の外面に描画されてもよいが、使用による擦れや汚れの影響を少なくすること、および、非透過性の塗料を重ねて塗布することで描画面を保護することができることから、第三シート１１０の内面に描画されることが好ましい。
【００３１】
第三シート１３０の内面には、第二イラスト１３９の描画に重ねて、ボールペンや鉛筆で筆記可能とする表面処理により筆記部１４０が形成されている。筆記部１４０の表面処理は、例えば、筆記用塗料を塗布（例えば、ＵＶオフセット印刷等）することで行われる。筆記用塗料としては、例えば、以下の成分を含有させ、トータル１００％としたニスを用いることが開示される。
・ポリエステル樹脂  １５〜２０％
・アクリルエステルオリゴマー・モノマー  ５０〜６０％
・光開始剤  ５〜１０％
・マット剤  １５〜２０％
・その他添加剤（ＷＡＸ・重合禁止剤等）  ５％未満
【００３２】
図８に示す筆記部１４０は、ノートをモチーフとしたものであるがこれに限定されず、例えば、カレンダーをモチーフとしてもよい。
なお、筆記部１４０は、第一シート１１０、第二シート１２０および第三シート１３０の外面に形成してもよい。また、第二イラスト１３９が第三シート１３０の内面側から視認できないよう、筆記部１４０は非透過性とすることが好ましい。この場合、第二イラスト１３９の描画に重ねて塗布する非透過性の塗料を不要とすることができる。
【００３３】
［使用態様］
図８、９を参照しながら、第三実施形態例に係るクリアファイル３００を使用する態様を説明する。図８のように、第三シート１３０非収納時は、第一イラスト１１９が見える。続いて、第三シート１３０を第一シート１１０および第二シート１２０の間に差し込むと、第二イラスト１３９が右方または上方からスライドし、第一イラスト１１９と合成された動的な意匠を形成する（図９参照）。また、第二イラスト１３９の描画に重ねて形成された筆記部１４０や第三シート１３０を着色することにより、意匠に動的な変化を与えるようにしてもよい。さらには、クリアファイル２００の収納スペースに収納される紙の色により意匠が動的に変化するように、イラストを描画してもよい。例えば、第一イラスト１１９のビーチサンダルの鼻緒または底を透明とし、収納された紙の色（例えば、白）が透けて色彩を構成するようにすることが開示される。
【００３４】
本実施形態例に係るクリアファイル２００によれば、意匠が動的に変化し、簡易筆記具としても利用することができるクリアファイルを提供することが可能である。
【符号の説明】
【００３５】
Ｄ  書類
１００  クリアファイル
１０１  第一折曲辺
１０２  第二折曲辺
１０３  接合部
１０４  開放部
１１０  第一シート
１１１  第一シート下辺
１１２  第一シート開側辺
１１３  第一シート上辺
１１５  第一切欠部
１１７  第一シート凹部
１１８  第一シート凹部
１１９  第一イラスト
１２０  第二シート
１２１  第二シート下辺
１２３  第二シート上辺
１２５  舌片
１３０  第三シート
１３１  第三シート下辺
１３３  第三シート上辺
１３４  第三シート開側辺
１３５  第二切欠部
１３６  係止片
１３７  切り欠き部
１３９  第二イラスト
１４０  筆記部
２００  クリアファイル
【図１】
0006505532.tif 000002
【図２】
0006505532.tif 000003
【図３】
0006505532.tif 000004
【図４】
0006505532.tif 000005
【図５】
0006505532.tif 000006
【図６】
0006505532.tif 000007
【図７】
0006505532.tif 000008
【図８】
0006505532.tif 000009
【図９】
0006505532.tif 000010